(57)【特許請求の範囲】
【請求項１】
ａ）静磁界を発生する磁石システムと、
ｂ）位置に依存する磁気共鳴信号を発生するためにＲＦ電磁気信号を発生し、一時的傾斜磁界を発生する手段と、
ｃ）前記共鳴信号を検出する受信ユニットと、
ｄ）受信された前記共鳴信号を処理する再構成ユニットと、
ｅ）画像化されるべき対象を支持する支持体と、
ｆ）前記ＲＦ電磁気信号及び一時的な傾斜磁界を発生する手段に対する制御信号を発生する制御ユニットとを有する磁気共鳴画像化部を有する、
前記対象の一部を画像化する装置であって、
前記装置は、前記磁気共鳴画像化部に隣接して配置されるＸ線画像化部を更に有し、前記Ｘ線画像化部は前記磁気共鳴画像化部からの前記Ｘ線画像化部に対する磁界の影響を打ち消すよう高い透磁率の材料を含む受動的遮蔽体を有し、前記受動的遮蔽体の一部はＸ線を透過し、前記受動的遮蔽体の一部はＸ線を遮蔽する
ことを特徴とする装置。
【請求項２】
該装置は案内システムを有し、前記案内システムを介して前記支持体が第一の位置及び第二の位置に移動されえ、該第一の位置では前記対象の一部は前記磁気共鳴画像化部の画像化領域に存在し、一方、該第二の位置では前記対象の一部は前記Ｘ線画像化部の画像化領域に存在することを特徴とする請求項１記載の装置。
【請求項３】
前記磁気共鳴画像化部は前記Ｘ線画像化部の影響を打ち消す手段を有することを特徴とする請求項１又は２記載の装置。
【請求項４】
前記Ｘ線画像化部は前記Ｘ線画像化部の電磁波放射により前記磁気共鳴画像化部の影響を打ち消すよう配置されることを特徴とする請求項１乃至３のうちのいずれか一項記載の装置。
【請求項５】
画像処理ユニットが、
ａ）前記磁気共鳴画像化部により画像を形成し、
ｂ）前記Ｘ線画像化部により画像を形成し、
ｃ）段階ａ）、ｂ）で形成された画像の位置情報を結合する
各段階を実施するように配置されることを特徴とする請求項１乃至４のうちのいずれか一項記載の装置。
【発明の詳細な説明】
本発明は
ａ）静磁界を発生する磁石システムと、
ｂ）位置に依存する磁気共鳴信号を発生するためにＲＦ電磁気信号を発生し、一時的傾斜磁界を発生する手段と、
ｃ）共鳴信号を検出する受信ユニットと、
ｄ）受信された共鳴信号を処理する再構成ユニットと、
ｅ）画像化されるべき対象を支持する支持体と、
ｆ）ＲＦ電磁気信号及び一時的な傾斜磁界を発生する手段に対する制御信号を発生する制御ユニットとからなり、磁気共鳴により対象の一部を画像化する磁気共鳴装置に関する。
上記装置により核磁化分布に関する情報の収集に対して傾斜磁界は連続したＲＦパルスがコイルにより静磁界内で発生された後に印加される。ＲＦパルスにより発生された共鳴信号は同じコイル又は他のコイルにより受信され、再構成ユニットに印加される。続いて再構成ユニットは検査される対象の部分の画像を形成するために受信された信号を処理する。上記の磁気共鳴装置は例えば大量の水素原子核を含む人間の器官内の問題の軟部組織の画像化に対する医学的診断に用いられる。
従来の磁気共鳴装置の欠点は例えば神経外科手術のような患者内に侵襲する過程を実施する器具がＭＲ装置により画像化されない又は画像化が非常に困難であることである。故に装置の画像化に対してＸ線装置が用いられるが、これは治療される器官の画像を形成しない、又は低品質の画素のみを形成するだけである。故に器具及び侵襲の実施に対してＸ線により形成された器具と同様にＭＲにより形成された軟部組織の利用可能な画像をも有することが必要である。故に侵襲的な過程中に種々の画像を形成するために患者はＭＲ装置とＸ線装置の間を往復させられる。しかしながら従来のＸ線装置がＭＲ装置の磁石システムにより発生する漏洩磁界に影響されるために、ＭＲ装置とＸ線装置の間の距離は、形成される患者内に入れられた器具の受容可能な画像が形成されることを可能にするに充分大きくなければならない。故にＸ線装置は遮蔽の外側、故にＭＲ装置が設置される部屋の外側に配置される。患者を２つの画像装置間で移動する間に患者に衝撃が加わるために患者内の器具が動く危険がある；その様な動きは患者にとって致命的である。更にまた患者はチューブや他の手段により他の種々の医学的な装置に接続されており、そのためにその様な搬送は煩わしいものである。
本発明の目的は患者の輸送の必要性を軽減することであり、それにより輸送中に衝撃による患者の体の中の器具の望ましくない動きの危険が減少する。本発明の更なる目的はＭＲ装置及びＸ線装置の座標系の統合の簡単化であり、それにより治療される器官に対する器具の案内及び位置決めでの誤差の危険を減少することである。
本発明による磁気共鳴装置はまたＭＲ装置に隣接するよう配置されるＸ線装置を含むことを特徴とする。この段階の結果としてＸ線装置がＭＲ装置から１から５メーターの間の距離で同じ部屋内及び静的磁石システムの漏洩磁界内に配置され、例えば支持体上に配置される患者である対象はＭＲ装置が設置されている部屋内での比較的小さな距離にわたって搬送されることが必要なだけである。
本発明の実施例はＭＲ装置はそれを介して支持体が第一の位置及び第二の位置に移動されることが可能であり、対象の一部が該第一の位置内のＭＲ装置の画像化領域内に存在し、他方で対象の一部分は該第二の位置でＸ線装置の画像化領域内に存在する案内システムからなることを特徴とする。この段階によりＭＲ画像は例えば第一の位置での患者である対象から形成される。患者のＸ線画像は第二の位置で形成される。更にまたこの段階は搬送中の衝撃による患者内の器具の動きの危険を減少する。何故ならば患者は案内システムを介して一方向のみに変位される必要があるだけであり、なお同じ支持体上にあるからである。更にまたＭＲ装置とＸ線装置の画像の組合せは一つの軸に沿った並進を含む変換のみを必要とする。結果としてミリメータ範囲の正確さで両方の座標系に関して患者及び器具の位置決めが達成される。故にチューブ及び他の持続を有する患者の搬送はまた簡単化される。
本発明による装置の更なる実施例はＸ線装置はＭＲ装置の磁界の影響を打ち消すために高い透磁率の材料を含む受動的遮蔽からなることを特徴とする。Ｘ線装置はＸ線を発生するＸ線管球とＸ線影画像を光画像に変換するＸ線画像増強器とからなる。Ｘ線管球及びＸ線画像増強器の適切な動作のために発生された電子ビームがＭＲ装置の静磁界により影響されないことが必要である。ＭＲ装置のスイッチされる傾斜磁界は重要ではない。何故ならばそれらはＸ線露出中はスイッチオフされうるからである。Ｘ線装置内で発生する電子ビームへの静磁界の影響は遮蔽を設けることにより減少し、それにより電子ビームの路はほとんど影響されず、Ｘ線装置の適切な動作が可能である。
本発明による装置の次の実施例はＭＲ装置はＸ線装置の影響を打ち消す手段からなることを特徴とする。この段階の結果としてＭＲ装置は弱い静磁界の漏洩を発生し、それによりＸ線装置はＭＲ装置から比較的小さな距離に配置されうる。
本発明の他の実施例はＸ線装置はＸ線装置の電磁波放射によりＭＲ装置の影響を打ち消すよう配置されることを特徴とする。この段階の結果として、ＭＲ装置による画像の形成中に妨害の影響はＸ線装置により及ぼされない。これはＸ線装置をスイッチオフすることにより達成される。
本発明による更なる実施例は再構成ユニットは以下の各段階を実施するために配置されることを特徴とする：
ａ）ＭＲ装置により画像を形成し、
ｂ）Ｘ線装置により像を形成し、
ｃ）段階ａ）、ｂ）で形成された画像の位置情報を結合する。
この段階により、ＭＲユニット及びＸ線装置からの情報は例えばモニターのような表示器に対する一つの標準座標系で例えば一つの画像を形成するように結合される。
本発明のこれらの及び他の特徴は以下に記載される実施例を参照して説明され明らかにされる。
図１はＭＲ装置及びＸ線装置の実施例を示す。
図２は磁気遮蔽を設けられたＸ線画像増強器の実施例を示す。
図１は本発明による装置を示し、それは例えばフィリップスメディカルシステムにより市販されるようなジャイロスキャンＡＣＳ  ＮＴのような磁気共鳴装置１と、フィリップスメディカルシステムにより市販されるようなＢＶ２９又はＢＶ２１２のようなＸ線装置２０からなる。ＭＲ装置１は静磁界を発生する第一の磁石システム２と傾斜磁界を発生する第二の磁石システム３と第一の磁石システム２と第二の磁石システムの電源ユニット４とからなる。第一の磁石システム２に対する電源ユニットは示されていない。磁石システム２、３は遮蔽１６により遮蔽される。この図及びこの説明では慣例のように示されている座標系のｚ方向は磁石システム２の静磁界の方向と一致する。ＲＦ送信コイル５はＲＦ磁界を発生するよう設けられ、ＲＦ電源及び変調器６に接続される。検査空間内でＲＦ送信機コイル５は検査される患者の一部分の周囲又はそれに対抗して又はその付近に配置される。受信機コイル８は磁気共鳴信号を受けるために用いられる。このコイルはＲＦ送信コイルと同じコイルでもよい。送信機／受信機コイル５は送信機／受信機回路９を介して信号増幅器及び復調器ユニット１０に接続される。この回路から得られた位相及び振幅は再構成ユニット１１に印加される。再構成ユニット１１は患者の部分の画像を形成するために現れた信号を処理する；例えばこの画像はモニタ１２上に表示される。制御ユニット１３はまたＲＦ送信機に対する変調器６及び傾斜磁界に対する電源ユニット４を制御する。
侵襲過程の実行に対してＸ線装置２０はＭＲ装置１に隣接して配置される。故にＸ線装置はＭＲ装置と同じ部屋にあり、故にＭＲ装置の磁石の漏洩静磁界内に置かれる。ＭＲ装置１とＸ線装置２０との間の距離は例えば３ｍである。ＭＲ装置１の検査空間及びＸ線装置２０の検査空間は一方は他方の延長に位置する。案内システム１５はまたこの部屋内に設けられる。案内システム１５で患者７がＭＲ装置１からＸ線装置２０へ搬送され、逆もまた可能な患者テーブルのような変位可能な支持体１４が配置される。支持体１４が座標系のｚ軸に沿って変位される故に患者への衝撃の危険は減少され、侵襲的な過程中に患者の体内の衝撃を受けた器具の動きの危険はまた減少する。
Ｘ線装置２０はまた電源ユニット２３と、Ｘ線源２１と、Ｘ線検出器２２とからなる。Ｘ線画像の形成中にＸ線装置２０内のＸ線源２１はそれに対して検査空間内の患者７が露出されるようにＸ線ビームを発生する。Ｘ線影画像は患者７内のＸ線ビームの吸収によりＸ線検出器２２の入射窓上に形成される。次にＸ線検出器２２は再構成ユニット１１に印加される電子画像信号を発生する。再構成ユニット１１内ではこれらの画像の情報は記憶され例えばモニタ１２上に表示されるようにＭＲ装置の画像の情報と結合される。ＭＲ装置１とＸ線装置２０との画像の組合せの為に、移送からなる変換は例えば患者内の器具の位置の誤差を打ち消すためにＭＲ装置とＸ線装置の画像の座標系の一方を他方の上に置く。
ＭＲ装置の近傍に配置される従来技術のＸ線検出器によりＸ線画像を形成することはＸ線検出器２２の領域でＭＲ装置の静磁界を打ち消す受動的遮蔽を用いることにより、又はスイッチオン後にＸ線画像を形成するのに迅速に利用可能なＸ線装置を用いることにより、又はフィリップスジャイロスキャンＡＣＳ  ＮＴのような弱い外部漏洩磁界を有するＭＲ装置を用いることにより可能となる。受動的遮蔽の一つの可能性は例えば軟鉄のような高い透磁性の材料を含む遮蔽を有するＸ線検出器２２内のＸ線画像増強器を設けることにより可能となる。図２は遮蔽を有するＸ線画像増強器２００の例を示す。Ｘ線画像増強器は入射窓２２０及び出射窓２３０を有する筐体２１０からなる。筐体２１０の内側は軟鉄２４０が設けられる。軟鉄遮蔽２４０の層の厚さは例えば０．１ｍｍである。この厚さの遮蔽はなお高いＸ線透過を提供する。更にまた筐体２１の内側の残り２６０は１．５ｍｍの層の厚さを有する軟鉄遮蔽を設けられる。この層の厚さはまたＸ線遮蔽を提供する。最終的に筐体２１０はＸ線の更なる減衰のための鉛層２５０を設けられる。
【図１】
0003703491.tif 000002
【図２】
0003703491.tif 000003